(57)【要約】【課題】ケーブルの上方に細線を張設してなる鳥害防止装置において、高所作業車を用いることなく容易に設置可能であり、かつ極めて安価な鳥害防止装置を提供することを目的としている。【解決手段】ケーブル１６の上方に細線２２を張設してなる鳥害防止装置２０において、細線２２の少なくとも両端をケーブル１６の上方に離隔させて支持する支持部材２４と、細線２２の中途部に固定された細線中継部材３０とを備え、細線中継部材３０はケーブル１６を内挿するループ形状を有し、ケーブル１６に対してスライド移動可能であることを特徴とする。【選択図】  図１
2008228667.tif 000002
【特許請求の範囲】
【請求項１】
ケーブルの上方に細線を張設してなる鳥害防止装置において、
前記細線の少なくとも両端を前記ケーブルの上方に離隔させて支持する支持部材と、
前記細線の中途部に固定された細線中継部材とを備え、
前記細線中継部材は前記ケーブルを内挿するループ形状を有し、該ループ形状によって設置時には前記ケーブルに沿ってスライド移動する際のガイドをなし、設置後には前記ケーブルと前記細線との離間距離を保持することを特徴とする鳥害防止装置。
【請求項２】
前記細線中継部材は可撓性を有する長尺部材であって、一端にラッチ機構を有し、他端側にラック部を有し、該長尺部材のいずれかの位置に前記細線を固定する細線固定部を有し、
前記ケーブルを巻回して前記ラック部を前記ラッチ機構に係合させることによってループ形状を形成することを特徴とする請求項１記載の鳥害防止装置。
【請求項３】
前記細線中継部材のラッチ機構は、前記ラック部を挿通する筒部と、前記ラック部と係合する固定爪と、前記固定爪を前記ラック部に付勢する付勢部とを有し、
前記細線固定部は前記筒部に設けた貫通穴と前記固定爪または前記ラック部とからなり、
前記貫通穴の位置は、前記固定爪が前記ラック部を挿入することによって移動した際に、該固定爪が前記貫通穴に挿通した細線を屈曲させる位置であることを特徴とする請求項１記載の鳥害防止装置。
【請求項４】
前記細線中継部材は、前記細線を固定する位置と異なる位置に、他の細線を支持する１以上の細線支持部を有することを特徴とする請求項１記載の鳥害防止装置。
【請求項５】
ケーブルの上方に細線を張設してなる鳥害防止装置において前記細線に固定される細線中継部材であって、
前記細線中継部材は可撓性を有する長尺部材からなり、該長尺部材の一端に配置されたラッチ機構と、他端側に配置されたラック部と、前記細線を固定する細線固定部とを有し、
前記ラッチ機構は、前記ラック部を挿通する筒部と、前記ラック部と係合する固定爪と、前記固定爪を前記ラック部に付勢する付勢部とを有し、
前記細線固定部は前記筒部に設けた貫通穴と前記固定爪または前記ラック部とからなり、
前記貫通穴の位置は、前記ラック部を前記筒部に挿入した際に、該固定爪または前記ラック部が前記貫通穴に挿通した細線を屈曲させる位置であることを特徴とする鳥害防止装置の細線中継部材。
【請求項６】
ケーブルの上方に細線を張設してなる鳥害防止装置を設置する際に前記細線を搬送するための治具であって、
細線を収納し且つ繰り出し可能な細線収納部と、
前記細線収納部をボルト穴または枠体に掛止するための掛止部と、
前記細線を把持する把持部とを有することを特徴とする細線搬送治具。
【請求項７】
前記把持部はピンチであって、前記細線を把持した状態において該細線を引き出し可能であることを特徴とする請求項６記載の細線搬送治具。
【請求項８】
張架されたケーブルの上方に細線を張設してなる鳥害防止装置の設置方法であって、
細線と、
前記細線を前記ケーブルの上方に離隔させて支持する支持部材と、
請求項５記載の細線中継部材と、
前記ケーブルをつたって移動する移動機とを用いて、
前記細線を所定数の前記細線中継部材の貫通穴に挿通し、
前記移動機に前記細線を接続して前記ケーブルの一端から牽引し、
前記移動機が所定距離進むごとに、前記細線中継部材を撓ませて前記ケーブルを巻回しつつ前記ラック部を前記筒部に挿入して前記固定爪と係合させることにより前記細線に固定し且つ前記ケーブルを内挿するループ形状を形成し、
前記移動機が前記細線を前記ケーブルの他端まで牽引した後に、該細線の両端を前記ケーブルに取り付けた前記支持部材に固定することを特徴とする鳥害防止装置の設置方法。
【発明の詳細な説明】
【技術分野】
【０００１】
本発明は、電柱などに張架されたケーブルに鳥類が留まることを防止する鳥害防止装置に関するものである。
【背景技術】
【０００２】
電柱や建物に張架されたケーブルは木の枝に似て、以前からカラスや鳩、雀などの鳥類の格好の留まり場所となっている。ケーブルにカラスや鳩などの鳥類が留まると、糞を落下させて機器や周囲の住宅、通行する人間に被害を及ぼす可能性がある。また鳥の数が増えればゴミを漁ったり、時として人間に襲いかかったりするため、ケーブルが鳥の居住空間として利用されてしまうことを防止する必要がある。
【０００３】
さらに電柱の上においては、濡れた鳥がケーブル間に触れたり、鳥がケーブルをつついて被覆やカバーを破いてしまい、地絡して停電するなど事故を発生する原因となる。すなわち鳥は、人にも電気設備にも支障を及ぼす可能性があるため、ケーブルに留まることを防止したいという要請がある。
【０００４】
ケーブルに留まる鳥が原因で糞害が発生すると、ケーブルの管理者に連絡がきて、何らかの対策を取ることになる。また短絡などの設備の故障が発生した場合には、やはり設備（ケーブル）の管理者が対策を取ることになる。したがって管理者にとって、鳥害対策は重要な事項の一つになっている。対策の一つとしては、例えばケーブルが電線である場合、電線の位置をずらすことが考えられる。もう一つの手としては、電線に鳥が留まらないようにケーブルに鳥害防止具を取り付けることが考えられる。
【０００５】
従来からも、ケーブルに鳥を留まらせないようにして鳥害を防止する鳥害防止具として、さまざまな構成が提案されている。その中の一つとして、鳥が掴めない程度の径の線条体（細線）を電線（ケーブル）の上方に離隔して架設することにより、鳥を架空電線の広い領域で留まれなくする構成がある。これは、鳥がケーブルに留まる際に、足や羽根に糸が触れるのをいやがる習性を利用したものである。
【０００６】
特許文献１（特開２００１−２１１５３４）には、細線の把持部材であって、工具を使用することなくケーブルに取り付けることが可能な把持部材が開示されている。なおケーブルの上方に細線を張設する鳥害防止装置においては、細線をケーブルから大きく離すとその隙間にスズメやムクドリが留まってしまい、小さく離すとカラスや鳶などの大形の鳥が細線ごとケーブルを掴んでしまう。そこで特許文献１の構成では、複数の高さで細線を張設することができるように、複数の異なる高さに細線固定溝が設けられている。
【０００７】
また特許文献２（特開２０００−１３４７７７）には、一側縁で分割された管体の上端面に立設した支持杆にワイヤーを張設した鳥害防止具が記載されている。すなわち管体の切れ込みに電線を嵌め込むことにより、被せるようにして設置するものである。
【特許文献１】特開２００１−２１１５３４号公報
【特許文献２】特開２０００−１３４７７７号公報
【発明の開示】
【発明が解決しようとする課題】
【０００８】
しかし、上記従来の構成にあっては、細線を取り付ける作業に多大な労力を有していた。まず特許文献１のように一定間隔で把持部材を取り付ける構成では、工具不要で取り付けられるとはいえ、高所作業車の使用が必要となる。高所作業車が侵入できない場所には、特許文献２のように管体を成した鳥害防止具をケーブルの一端から取り付け、ケーブルの反対側まで順次押し出すことによって設置している。
【０００９】
しかし管体の鳥害防止具を取り付けると、ケーブルにかかる荷重および風圧荷重が高くなる。そのときケーブルの線種が細い場合（例えば銅５ｍｍ角）には、強風時に断線のおそれがあるため、ケーブルの張り替えが必要となる場合がある。またケーブルが電柱に張架された電線である場合、図７（ａ）に示すような引通し装柱で支持されている場合には強風時に激しく振動すると断線の危険があるため、図７（ｂ）に示すような引留装柱への変更が必要となる。これらのことから、非常に高価な鳥害対策方法となってしまうのが現状である。
【００１０】
そこで本発明は、ケーブルの上方に細線を張設してなる鳥害防止装置において、高所作業車を用いることなく容易に設置可能であり、かつ極めて安価な鳥害防止装置を提供することを目的としている。
【課題を解決するための手段】
【００１１】
上記課題を解決するために、本発明にかかる鳥害防止装置の代表的な構成は、ケーブルの上方に細線を張設してなる鳥害防止装置において、細線の少なくとも両端をケーブルの上方に離隔させて支持する支持部材と、細線の中途部に固定された細線中継部材とを備え、細線中継部材はケーブルを内挿するループ形状を有し、該ループ形状によって設置時にはケーブルに沿ってスライド移動する際のガイドをなし、設置後にはケーブルと細線との離間距離を保持することを特徴とする。
【００１２】
なおケーブルは両端を支持されて張架された状態において懸垂線（カテナリー曲線）を描き、中央部が下方に垂れた状態となる。したがって、細線の両端を支持部材に支持させると、張力にもよるが、細線はケーブルの中央部に行くほどケーブルから上方に離れることとなる。そして細線中継部材は、ケーブルを内挿するループ形状であることから、細線をケーブルから所定以上離隔しないようにその間隔を規制するものである。上記の構成は極めて軽量であり、強風であっても風圧荷重は極めて小さいから、ケーブルの張り替えや装柱の変更は必要とせず、安価な鳥害防止装置とすることができる。
【００１３】
細線中継部材は可撓性を有する長尺部材であって、一端にラッチ機構を有し、他端側にラック部を有し、該長尺部材のいずれかの位置に細線を固定する細線固定部を有し、ケーブルを巻回してラック部をラッチ機構に係合させることによってループ形状を形成させることでもよい。
【００１４】
すなわち細線中継部材は、いわゆる結束バンドに細線固定部を設けることにより構成することができる。したがって、長尺部材の本体を巻いて先端のラック部をラッチ機構に挿入するだけで取り付けることができ、極めて簡単且つ迅速に取り付け作業をすることができる。また樹脂材料によって安価に大量生産することができ、極めて安価に製造することができる。
【００１５】
細線中継部材のラッチ機構は、ラック部を挿通する筒部と、ラック部と係合する固定爪と、固定爪をラック部に付勢する付勢部とを有し、細線固定部は筒部に設けた貫通穴と固定爪とからなり、貫通穴の位置は、ラック部を筒部に挿入した際に、該固定爪またはラック部が貫通穴に挿通した細線を屈曲させる位置であることが好ましい。
【００１６】
上記構成によれば、先端のラック部をラッチ機構に挿入するだけで、ケーブルを内挿するループを形成すると同時に、細線中継部材を細線に固定することができる。これによりさらに簡単且つ迅速に取り付け作業をすることができる。
【００１７】
細線中継部材は、細線を固定する位置と異なる位置に、他の細線を支持する１以上の細線支持部を有していてもよい。これにより、複数の細線を異なる高さで支持することができ、小型の鳥から大型の鳥まで鳥害防止の対象とすることができる。
【００１８】
また本発明にかかる鳥害防止装置の細線中継部材の代表的な構成は、ケーブルの上方に細線を張設してなる鳥害防止装置において細線に固定される細線中継部材であって、細線中継部材は可撓性を有する長尺部材からなり、該長尺部材の一端に配置されたラッチ機構と、他端側に配置されたラック部と、細線を固定する細線固定部とを有し、ラッチ機構は、ラック部を挿通する筒部と、ラック部と係合する固定爪と、固定爪をラック部に付勢する付勢部とを有し、細線固定部は筒部に設けた貫通穴と固定爪またはラック部とからなり、貫通穴の位置は、ラック部を筒部に挿入した際に、該固定爪またはラック部が貫通穴に挿通した細線を屈曲させる位置であることを特徴とする。
【００１９】
上記構成の細線中継部材を用いれば、極めて簡単、迅速かつ容易に鳥害防止装置を設置可能であり、また安価に製造することができる。
【００２０】
また本発明にかかる鳥害防止装置の細線搬送治具の代表的な構成は、ケーブルの上方に細線を張設してなる鳥害防止装置を設置する際に細線を搬送するための治具であって、細線を収納し且つ繰り出し可能な細線収納部と、細線収納部をボルト穴または枠体に掛止するための掛止部と、細線を把持する把持部とを有することを特徴とする。
【００２１】
上記の細線搬送治具を用いれば、細線と細線中継部材とを組み合わせた状態で、かつ、すぐに引き出し可能な状態で搬送することができる。したがって作業者がこれを携帯して電柱に登りやすく、また高所での作業も容易なものとすることができる。
【００２２】
把持部は把持力の低いピンチであって、細線を把持した状態において該細線を引き出し可能であることが好ましい。これにより、細線を弛ませてしまうことなく安定的に引き出すことができ、設置作業をさらに容易にすることができる。
【００２３】
また本発明にかかる鳥害防止装置の設置方法の代表的な構成は、張架されたケーブルの上方に細線を張設してなる鳥害防止装置の設置方法であって、細線と、細線をケーブルの上方に離隔させて支持する支持部材と、上述の細線中継部材と、ケーブルをつたって移動する移動機とを用いて、細線を所定数の細線中継部材の貫通穴に挿通し、移動機に細線を接続してケーブルの一端から牽引し、移動機が所定距離進むごとに、細線中継部材を撓ませてケーブルを巻回しつつラック部を筒部に挿入して固定爪と係合させることにより細線に固定し且つケーブルを内挿するループ形状を形成し、移動機が細線をケーブルの他端まで牽引した後に、該細線の両端をケーブルに取り付けた支持部材に固定することを特徴とする。
【００２４】
上記の設置方法によれば、長いケーブルにも安全、確実、かつ簡単に細線を沿わせて牽引することができ、容易に設置作業を行うことができる。
【発明の効果】
【００２５】
本発明によれば、ケーブルの上方に細線を張設してなる鳥害防止装置において、高所作業車を用いることなく容易に設置可能であり、かつ極めて安価な鳥害防止装置を提供することができる。
【発明を実施するための最良の形態】
【００２６】
本発明にかかる鳥害防止装置の実施形態について説明する。図１は本実施形態にかかる鳥害防止装置を設置した状態を説明する図、図２は細線中継部材を説明する図、図３は細線中継部材を取り付ける際の状態を説明する図、図４は細線中継部材の他の構成を説明する図、図５は細線搬送治具を説明する図、図６は移動機の説明をする図である。なお、以下の実施例に示す寸法、材料、その他具体的な数値などは、発明の理解を容易とするための例示に過ぎず、特に断る場合を除き、本発明を限定するものではない。
【００２７】
図１に示すように、電柱１０に取り付けられた腕金１２には引通し装柱１４が設けられ、次の電柱１０との間にケーブル１６が張架されている。ケーブル１６は架空電線であって、その太さや長さは任意である。そして鳥害防止装置２０は、ケーブルの上方に張設される細線２２と、細線２２の少なくとも両端をケーブル１６の上方に離隔させて支持する支持部材２４と、細線２２の中途部に固定された細線中継部材３０とから構成される。
【００２８】
細線２２は、例えばフッ化ビニロンやナイロン糸、フロロカーボン、ポリエチレンなどのテグスを好適に用いることができる。なお細線２２としては、耐候性があり、かつ伸びが少なく張力をかけられるものが好ましい。
【００２９】
支持部材２４は、細線２２を固定して、細線２２をケーブル１６から所定高さの上方に離隔させて支持するものである。支持部材２４は、細線２２に張力を与えるために、ケーブル１６に対してなるべく強固に固定できるものが好ましい。なお複数の電柱１０にわたって長い細線２２を張り巡らす場合にも、その中継として電柱近傍に支持部材２４を配置することが好ましい。その意味において、支持部材２４は必ずしも細線２２の両端のみに配置するに限らず、細線２２の中途部にも設けてよい。
【００３０】
細線中継部材３０は、ループ形状を有し、ケーブル１６を内挿するように設置する。ここでケーブル１６は、両端を支持されて張架された状態において懸垂線（カテナリー曲線）を描き、中央部が下方に垂れた状態となる。したがって、細線２２を張力をかけて張架することにより、細線２２はケーブル１６の中央部に行くほどケーブル１６から上方に離隔する。そして細線中継部材３０は、ケーブル１６を内挿するループ形状であることから、細線２２をケーブル１６から所定以上離隔しないようにその間隔を規制する。これにより細線２２は、ケーブル１６に対してほぼ一定の離間距離を保った状態で、その上方に支持される。
【００３１】
上記構成によれば、細線中継部材３０がループ形状であって、ケーブル１６に対して固定されていないことから、ケーブル１６に沿ってスライド移動可能であり、その際のガイドとなる。したがって、電柱の近傍において細線中継部材３０のループ形状にケーブル１６を内挿した状態で、細線２２を次の電柱に向かって牽引することができる。そして、細線２２の両端を支持部材２４に取り付けて支持させることによって設置が完了する。すなわち電柱間の高所で作業する必要がなく、高所作業車を必要としないため、容易に設置することが可能である。
【００３２】
また上記の構成は極めて軽量であり、かつ強風であっても風圧荷重は極めて小さい。したがって細いケーブルであったとしても張り替えや装柱の変更を必要とせず、設置のためのコストを低廉に抑えることができる。
【００３３】
図２は細線中継部材３０の具体的な構成の例を示している。図に示すように細線中継部材３０は可撓性を有する長尺部材であって、本体３０ａの一端にラッチ機構３４を有し、他端側（先端側）にラック部３２を有している。ラッチ機構３４は、ラック部３２を挿通する筒部３４ａと、ラック部３２と係合する固定爪３４ｂと、固定爪３４ｂをラック部３２に付勢する付勢部３４ｃとを有している。いわゆる結束バンドと同様の構成であって、ラック部３２を撓ませてラッチ機構３４に挿入することにより、固定爪３４ｂがラック部３２と係合してループ形状が形成される。また本体３０ａは断面円形に形成されており、ケーブル１６に対して低い摺動抵抗でスライド移動可能なように構成されている。
【００３４】
さらに図３に示すように、本実施形態においては、ラッチ機構３４に細線２２を固定する細線固定部を設けている。具体的には、筒部３４ａにラック部３２の挿入方向とは略直交する方向に貫通穴３４ｄを設け、この貫通穴３４ｄに細線を挿入可能とする。貫通穴３４ｄの位置は、ラック部を筒部に挿入した際に、ラック部３２が貫通穴３４ｄに挿通した細線２２を屈曲させる位置とした。狭い範囲で屈曲された細線２２は高い摺動抵抗を示し、細線２２と細線中継部材３０とは容易に外れない力で固定される。すなわち本実施形態において細線固定部は、貫通穴３４ｄとラック部３２とによって構成されている。
【００３５】
上記構成によれば、先端のラック部３２をラッチ機構３４に挿入するだけで、ループ形状を形成すると同時に、細線中継部材３０を細線２２に固定することができる。したがって、極めて簡単且つ迅速に取り付け作業をすることができる。また細線中継部材３０の材質としては、ポリエチレンやポリプロピレンなどの樹脂材料を用いることができる。したがって安価に大量生産することができる。
【００３６】
なお図４に示すように、細線中継部材３０には、１本目の細線２２を固定する位置と異なる位置に、他の細線を支持する１以上の細線支持部３８を有していてもよい。また支持部材２４にも複数の高さで細線２２を固定する複数の溝を設けていることが好ましい。追加の細線支持部３８は、これにより、複数の細線２２を異なる高さで支持することができる。小型の鳥から大型の鳥まで鳥害防止の対象とすることができる。
【００３７】
図５に示すのは、鳥害防止装置２０を設置する際に、作業者が細線２２および細線中継部材３０を携帯して電柱に登るための細線搬送治具４０である。細線搬送治具４０は、細線２２を収納する細線収納部４２と、細線収納部４２を装柱のボルト穴または枠体に掛止するための掛止部４４と、細線２２を把持する把持部４６とを有している。
【００３８】
細線収納部４２は細線２２を巻回して収納したリールを内包し、細線２２を引き出し可能になっている。掛止部４４は略コの字型をしたアーム４０ａの両先端にそれぞれ設けられた２つの穴４４ａと、これに挿通されたシャフト４４ｂとから構成される。したがってアーム４０ａの間に腕金を通し、例えば腕金のボルト穴４４ａに４４ｂを挿通することにより、腕金１２に細線搬送治具４０を掛止することができる。把持部４６はバネなどの付勢部材によって細線２２を把持するピンチである。
【００３９】
作業者は、上記の細線搬送治具４０を用いて、まず事前に細線２２に細線中継部材３０の貫通穴３４ｄに挿通し、まだループを形成していない状態で、細線２２の先端を把持部４６によって把持する。このように細線２２と細線中継部材３０とを組み合わせた状態で、かつ、すぐに引き出し可能な状態で搬送することにより、作業者はこれを携帯して電柱に登りやすく、また高所での作業も容易なものとすることができる。
【００４０】
また把持部４６の把持力は低く設定しており、細線２２を把持した状態においてこれを引き出し可能となっている。このように細線２２の引き出しに対して抵抗をかけることにより、細線２２を弛ませてしまうことなく安定的に引き出すことができ、設置作業をさらに容易にすることができる。
【００４１】
次に、鳥害防止装置２０を設置する手順について説明する。作業者は、細線搬送治具４０を携帯して一方の電柱１０に登り、掛止部４４によって細線搬送治具４０を腕金１２に掛止する。そして他方の電柱に向かって細線２２を繰り出しつつ、一定間隔（例えば４ｍ）ごとに細線中継部材３０を細線２２に固定する。このとき細線中継部材３０は、ケーブル１６を巻回して内挿させ、ラック部３２をラッチ機構に係合することによってループ形状を形成する。またケーブル１６の電柱近傍の両端に、支持部材２４を取り付ける。そして細線２２の先端が他方の電柱に到達したら、その両端を支持部材２４に張力をかけながら固定する。
【００４２】
細線２２を他方の電柱１０に向かって牽引する方法としては、例えば細線２２を長く出し、地上を歩いて他方の電柱に登り、他方の電柱から引くことができる。ただしこの方法では必要量の倍の長さの細線２２を消費してしまうので、細線２２の先端に牽引用のワイヤーを接続し、牽引用のワイヤーは数次にわたって使用することが望ましい。
【００４３】
また図６は、細線２２を牽引するための移動機５０を示している。移動機５０は内部に駆動モータを備え、ケーブル１６に沿って移動可能となっている。また移動機５０の進退動作は、無線コントローラ５２によって制御可能となっている。そして細線２２を牽引する際には、一定間隔ごとに移動機５０を停止させ、細線中継部材３０を細線２２に固定する。
【００４４】
このようにケーブル１６をつたって移動する移動機５０を用いることにより、長いケーブル１６にも安全、確実、かつ簡単に細線２２を沿わせて牽引することができ、容易に設置作業を行うことができる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４６】
例えば、上記実施形態において細線中継部材３０は結束バンドに近い構造のものであると説明した。しかし本発明はこれに限定するものではなく、ケーブル１６を内挿してスライド可能なループ形状と、細線２２に対して固定可能な細線固定部とを有していればよい。したがって例えばループ形状は、可撓性を有しない円弧形状をつないで係止することにより形成してもよい。
【００４７】
また、上記実施形態において細線固定部は貫通穴３４ｄとラック部３２とによって細線２２を屈曲させることにより固定しているが、貫通穴３４ｄと固定爪３４ｂとによって固定してもよい。さらに、例えば細線２２を挟持する既知の他の固定方法としてもよい。
【産業上の利用可能性】
【００４８】
本発明は、電柱などに張架されたケーブルに鳥類が留まることを防止する鳥害防止装置として利用することができる。
【図面の簡単な説明】
【００４９】
【図１】実施形態にかかる鳥害防止装置を設置した状態を説明する図である。
【図２】細線中継部材を説明する図である。
【図３】細線中継部材を取り付ける際の状態を説明する図である。
【図４】細線中継部材の他の構成を説明する図である。
【図５】細線搬送治具を説明する図である。
【図６】移動機の説明をする図である。
【図７】引通し装柱および引留装柱を説明する図である。
【符号の説明】
【００５０】
１０   …電柱
１２   …腕金
１４   …装柱
１６   …ケーブル
２０   …鳥害防止装置
２２   …細線
２４   …支持部材
３０   …細線中継部材
３２   …ラック部
３４   …ラッチ機構
３４ａ  …筒部
３４ｂ  …固定爪
３４ｃ  …付勢部
３４ｄ  …貫通穴
３８   …細線支持部
４０   …細線搬送治具
４０ａ  …アーム
４２   …細線収納部
４４   …掛止部
４４ａ  …穴
４４ｂ  …シャフト
４６   …把持部
５０   …移動機
５２   …無線コントローラ
【図１】
2008228667.tif 000003
【図２】
2008228667.tif 000004
【図３】
2008228667.tif 000005
【図４】
2008228667.tif 000006
【図５】
2008228667.tif 000007
【図６】
2008228667.tif 000008
【図７】
2008228667.tif 000009